(57)【要約】【課題】互換の為に別途ファイルを生成しなくても、新しいインデックスファイルを用いた高速な検索機能を提供するファイルフォーマットと、従来の例えばＥｘｉｆ規格のようなファイルフォーマットとの互換を容易とすることができる電子機器、その電子機器に用いられるディレクトリ生成方法、ディレクトリ読込み方法及びコンピュータプログラムを提供すること。【解決手段】電子機器であるデジタルカメラ１はルートディレクトリの下に入力情報のインデックスファイル例えばＡＶＩＳ００００１．ＭＱＶ３９を関係付けるＭＱ  ＲＯＯＴディレクトリ３６を生成するディレクトリ・ファイル生成機構２９と、そのＭＱ  ＲＯＯＴディレクトリ３６と並列に入力情報の少なくとも一部の実体ファイル例えばＮＲＱ００００１．ＪＰＧを関係付けるＤＣＩＭディレクトリ４０を生成するディレクトリ・ファイル生成機構２９を具備することとした。【選択図】  図４
2004362106.tif 000002
【特許請求の範囲】
【請求項１】
ルートディレクトリの下に、入力情報のインデックスファイルを前記ルートディレクトリに関係付ける第１のサブディレクトリを生成する第１の生成手段と、
前記ルートディレクトリの下に、前記入力情報の少なくとも一部の実体ファイルを前記ルートディレクトリに関係付ける第２のサブディレクトリを、前記第１のサブディレクトリと並列に生成可能な第２の生成手段と
を具備することを特徴とする電子機器。
【請求項２】
請求項１に記載の電子機器において、
前記第１の生成手段は、前記第１のサブディレクトリの下に前記インデックスファイルを生成し、
前記第２の生成手段は、前記第２のサブディレクトリの下に前記入力情報の少なくとも一部の実体ファイルを生成可能であることを特徴とする電子機器。
【請求項３】
請求項１に記載の電子機器において、
前記実体ファイルは、前記インデックスファイル内の情報の少なくとも一部に対応していることを特徴とする電子機器。
【請求項４】
請求項２に記載の電子機器において、
少なくとも前記ルートディレクトリと、前記第１の生成手段により生成された第１のサブディレクトリ及びインデックスファイルと、前記第２の生成手段により生成された第２のサブディレクトリ及び実体ファイルとを可搬性の記録媒体に記録する記録手段を更に具備することを特徴とする電子機器。
【請求項５】
請求項１に記載の電子機器において、
前記入力情報は映像情報を有し、少なくとも前記第２のサブディレクトリはディジタルスチルカメラ用画像ファイルフォーマット規格に基づくことを特徴とする電子機器。
【請求項６】
ルートディレクトリの下に生成された、入力情報のインデックスファイルを前記ルートディレクトリに関係付ける第１のサブディレクトリを読込む第１の読込み手段と、
前記第１のサブディレクトリと並列に前記ルートディレクトリの下に生成された、前記入力情報の少なくとも一部の実体ファイルを前記ルートディレクトリに関係付ける第２のサブディレクトリを読込み可能な第２の読込み手段と
を具備することを特徴とする電子機器。
【請求項７】
請求項６に記載の電子機器において、
前記第１の読込み手段は、前記第１のサブディレクトリの下に生成された前記インデックスファイルを読込み、
前記第２の読込み手段は、前記第２のサブディレクトリの下に生成された前記入力情報の少なくとも一部の実体ファイルを読込み可能なものであることを特徴とする電子機器。
【請求項８】
請求項７に記載の電子機器において、
前記第２の読込み手段は、前記第１の読込み手段により読込まれたインデックスファイル内の情報に基づき、前記実体ファイルを読込むものであることを特徴とする電子機器。
【請求項９】
請求項７に記載の電子機器において、
前記第２の読込み手段は、前記第２の読込み手段により読込まれた前記第２のサブディレクトリ内の情報に基づき、前記実体ファイルを読込むものであることを特徴とする電子機器。
【請求項１０】
請求項９に記載の電子機器において、
前記第２の読込み手段は、その読込み手段による読込みをするか否か選択することのできる選択手段を有し、その選択手段による選択情報により、前記第２のサブディレクトリの下に生成された前記入力情報の実体ファイルを読込むことを特徴とする電子機器。
【請求項１１】
請求項１０に記載の電子機器において、
前記選択手段は、前記第２のサブディレクトリの下に実体ファイルが生成されたか否か判断する判断手段を有し、その判断手段が前記実体ファイルは生成されなかったと判断したときは、前記選択手段は規制されることを特徴とする電子機器。
【請求項１２】
請求項１１に記載の電子機器において、
前記判断手段は、前記第１の読込み手段により読込まれたインデックスファイル内の情報に基づき前記第２のサブディレクトリの下に実体ファイルが生成されたか否か判断することができることを特徴とする電子機器。
【請求項１３】
請求項６に記載の電子機器において、
前記入力情報は映像情報を有し、少なくとも前記第２のサブディレクトリはディジタルスチルカメラ用画像ファイルフォーマット規格に基づくことを特徴とする電子機器。
【請求項１４】
ルートディレクトリの下に、入力情報のインデックスファイルを前記ルートディレクトリに関係付ける第１のサブディレクトリを生成する第１の生成工程と、
前記ルートディレクトリの下に、前記入力情報の少なくとも一部の実体ファイルを前記ルートディレクトリに関係付ける第２のサブディレクトリを、前記第１のサブディレクトリと並列に生成可能な第２の生成工程と
を具備することを特徴とするディレクトリ生成方法。
【請求項１５】
ルートディレクトリの下に生成された、入力情報のインデックスファイルを前記ルートディレクトリに関係付ける第１のサブディレクトリを読込む第１の読込み工程と、
前記第１のサブディレクトリと並列に前記ルートディレクトリの下に生成された、前記入力情報の少なくとも一部の実体ファイルを前記ルートディレクトリに関係付ける第２のサブディレクトリを読込み可能な第２の読込み工程と
を具備することを特徴とするディレクトリ読込み方法。
【請求項１６】
コンピュータに、
ルートディレクトリの下に、入力情報のインデックスファイルを前記ルートディレクトリに関係付ける第１のサブディレクトリを生成する第１の生成工程と、
前記ルートディレクトリの下に、前記入力情報の少なくとも一部の実体ファイルを前記ルートディレクトリに関係付ける第２のサブディレクトリを、前記第１のサブディレクトリと並列に生成可能な第２の生成工程とを実行させること
を特徴とするコンピュータプログラム。
【請求項１７】
コンピュータに、
ルートディレクトリの下に生成された、入力情報のインデックスファイルを前記ルートディレクトリに関係付ける第１のサブディレクトリを読込む第１の読込み工程と、
前記第１のサブディレクトリと並列に前記ルートディレクトリの下に生成された、前記入力情報の少なくとも一部の実体ファイルを前記ルートディレクトリに関係付ける第２のサブディレクトリを読込み可能な第２の読込み工程とを実行させること
を特徴とするコンピュータプログラム。
【発明の詳細な説明】
【０００１】
【発明の属する技術分野】
本発明は、例えばデジタルカメラ等の電子機器、その電子機器に用いられるディレクトリ生成方法、ディレクトリ読込み方法及びコンピュータプログラムに関する。
【０００２】
【従来の技術】
従来、電子機器であるデジタルカメラの殆どがＥｘｉｆ（Ｅｘｃｈａｎｇｅａｂｌｅｉｍａｇｅ  ｆｉｌｅ  ｆｏｒｍａｔ）規格に従って半導体メディアに記録しているが、Ｅｘｉｆ規格の性格上コンテンツの数が多くなればなるほどその読込みに時間が掛かる。しかも最近では、記録容量は年々多くなり記録できるコンテンツの数も多くなっている。
【０００３】
そこで新しい電子機器では、専用のインデックスファイルを用いコンテンツの読込みの時間を軽減させているが、その場合インデックスファイルにより例えば静止画ファイルの存在を認識することが基本となる。
【０００４】
そのため、例えばＥｘｉｆ規格でのみ作成された静止画ファイルはインデックスファイルにより静止画ファイルの存在を認識する新しい電子機器では、その存在を認識できないことになる。
【０００５】
この問題を解決するものとしてＥｘｉｆ規格と異なるファイルフォーマット（ファイル形式）間での互換を可能とする電子機器も考え出されている。
（例えば、特許文献１参照。）。
【０００６】
【特許文献１】
特開２００２−２０４４２０号公報（段落［００１５］、図２）。
【０００７】
【発明が解決しようとする課題】
しかしながら、例えば特開２００２−２０４４２０号公報に記載の電子機器では、既に存在するファイル以外に別途サムネイル画像用のサムネイルファイルを生成しなければならず、工程が増加してしまうという問題があった。
【０００８】
本発明は、上述の課題に鑑みてなされるもので、互換の為に別途ファイルを生成しなくても、新しいインデックスファイルを用いた高速な検索機能を提供するファイルフォーマットと、従来の例えばＥｘｉｆ規格のようなファイルフォーマットとの互換を容易とすることができる電子機器、その電子機器に用いられるディレクトリ生成方法、ディレクトリ読込み方法及びコンピュータプログラムを提供することを目的とする。
【０００９】
【課題を解決するための手段】
上記目的を達成するために、本発明の主たる観点に係る電子機器は、ルートディレクトリの下に、入力情報のインデックスファイルを前記ルートディレクトリに関係付ける第１のサブディレクトリを生成する第１の生成手段と、前記ルートディレクトリの下に、前記入力情報の少なくとも一部の実体ファイルを前記ルートディレクトリに関係付ける第２のサブディレクトリを、前記第１のサブディレクトリと並列に生成可能な第２の生成手段とを具備することを特徴とする。
【００１０】
ここで、「インデックスファイル」とは、例えば「ＡＶＩＶ００００１．ＭＱＶ」等と表記され、１以上のファイルの内容を識別する情報等を集めたファイルであり、「第１のサブディレクトリ」とは、例えば「ＭＱ  ＲＯＯＴ」等と表記され、ルートディレクトリの下に生成されるディレクトリである。また、「実体ファイル」とは、例えば「ＮＲＱ００００１．ＪＰＧ」等と表記される静止画ファイル等があり、「第２のサブディレクトリ」とは、例えば「ＤＣＩＭ」等と表記され、ルートディレクトリの下に生成されるディレクトリである。
【００１１】
尚、「ＤＣＩＭ」はＤｉｇｉｔａｌ  Ｃａｍｅｒａ  ＩＭａｇｅｓのことであり、「ディレクトリ」とは、例えばハードディスクやフロッピー（登録商標）ディスク等の記録媒体の中に登録されているファイルの管理情報（名称、編成方法、データの形式、情報の保護レベル、記録場所等）を記録するものをいう。
【００１２】
本発明では、ルートディレクトリの下に入力情報のインデックスファイルを関係付ける第１のサブディレクトリを生成する第１の生成手段と、その第１のサブディレクトリと並列に入力情報の少なくとも一部の実体ファイルを関係付ける第２のサブディレクトリを生成する第２の生成手段を具備することとしたので、互換の為に別途ファイルを生成しなくても、インデックスファイルを用いた高速な検索機能を提供しながら、従来の例えばＥｘｉｆ規格により実体ファイルを読込むこと等も可能となり、異なるファイルフォーマット間の互換もより容易かつ低コストとすることが可能となる。
【００１３】
本発明の一の形態によれば、前記第１の生成手段は、前記第１のサブディレクトリの下に前記インデックスファイルを生成し、前記第２の生成手段は、前記第２のサブディレクトリの下に前記入力情報の少なくとも一部の実体ファイルを生成可能であることを特徴とする。これにより、第１のサブディレクトリの下に入力情報のインデックスファイルを生成し、第２のサブディレクトリの下に入力情報の少なくとも一部の実体ファイルを生成することができるので、例えば第１のサブディレクトリの下に入力情報のインデックスファイルとして、静止画用の「ＡＶＩＳ００００１．ＭＱＶ」を生成し、その実体ファイルとして第２のサブディレクトリの下に「ＮＲＱ００００１．ＪＰＧ」を生成でき、インデックスファイルによる場合と従来の例えばＥｘｉｆ規格による場合のいずれの場合も実体ファイルの「ＮＲＱ００００１．ＪＰＧ」を読込むことが可能となる。
【００１４】
本発明の一の形態によれば、前記実体ファイルは、前記インデックスファイル内の情報の少なくとも一部に対応していることを特徴とする。これにより、同じ実体ファイルをインデックスファイルにより読込むこともできるし、従来の例えばＥｘｉｆ規格により読込むこともできるような互換性のあるファイル構造とすることができる。
【００１５】
本発明の一の形態によれば、少なくとも前記ルートディレクトリと、前記第１の生成手段により生成された第１のサブディレクトリ及びインデックスファイルと、前記第２の生成手段により生成された第２のサブディレクトリ及び実体ファイルとを可搬性の記録媒体に記録する記録手段を更に具備することを特徴とする。これにより、インデックスファイルを使った高速な検索機能を提供しながら、従来の例えばＥｘｉｆ規格により実体ファイルを読込むこと等も可能なファイル構造として、映像情報等を可搬性の記録媒体例えばメモリーカード等に記録させ保存させることができる。それによって、他の電子機器にその記録媒体から映像情報等を入力させ、その電子機器で少なくともその映像情報の例えばＥｘｉｆ規格による実体ファイルを見ることが可能となり、互換性が増すこととなる。
【００１６】
本発明の一の形態によれば、前記入力情報は映像情報を有し、少なくとも前記第２のサブディレクトリはディジタルスチルカメラ用画像ファイルフォーマット規格に基づくことを特徴とする。これにより、例えば静止画ファイルを最も一般的なディジタルスチルカメラ用画像ファイルフォーマット規格（Ｅｘｉｆ（Ｅｘｃｈａｎｇｅａｂｌｅｉｍａｇｅ  ｆｉｌｅ  ｆｏｒｍａｔ）規格）により生成するので、ほとんどの電子機器でその静止画ファイルを読込むことができることなり、更に互換性を図ることができる。
【００１７】
本発明の他の観点に係る電子機器は、ルートディレクトリの下に生成された、入力情報のインデックスファイルを前記ルートディレクトリに関係付ける第１のサブディレクトリを読込む第１の読込み手段と、前記第１のサブディレクトリと並列に前記ルートディレクトリの下に生成された、前記入力情報の少なくとも一部の実体ファイルを前記ルートディレクトリに関係付ける第２のサブディレクトリを読込み可能な第２の読込み手段とを具備することを特徴とする。
【００１８】
本発明では、ルートディレクトリの下に入力情報のインデックスファイルを関係付けるように生成された第１のサブディレクトリを読込む第１の読込み手段と、その第１のサブディレクトリと並列に入力情報の少なくとも一部の実体ファイルを関係付けるように生成された第２のサブディレクトリを読込む第２の読込み手段を具備することとしたので、互換の為に別途ファイルを生成しなくても、インデックスファイルを用いた高速な検索機能を提供しながら、従来の例えばＥｘｉｆ規格により実体ファイルを読込むこと等も可能となり、異なるファイルフォーマット間の互換もより容易かつ低コストとすることが可能となる。
【００１９】
本発明の一の形態によれば、前記第１の読込み手段は、前記第１のサブディレクトリの下に生成された前記インデックスファイルを読込み、前記第２の読込み手段は、前記第２のサブディレクトリの下に生成された前記入力情報の少なくとも一部の実体ファイルを読込み可能なものであることを特徴とする。これにより、第１のサブディレクトリの下のインデックスファイルを読込み、第２のサブディレクトリの下の実体ファイルを読込むことができるので、例えば第１のサブディレクトリの下のインデックスファイルとして、静止画用の「ＡＶＩＳ００００１．ＭＱＶ」を読込み、その実体ファイルとして第２のサブディレクトリの下の「ＮＲＱ００００１．ＪＰＧ」を読込みでき、インデックスファイルによる場合と従来の例えばＥｘｉｆ規格による場合のいずれの場合も実体ファイルの「ＮＲＱ００００１．ＪＰＧ」を読込むことが可能となる。
【００２０】
本発明の一の形態によれば、前記第２の読込み手段は、前記第１の読込み手段により読込まれたインデックスファイル内の情報に基づき、前記実体ファイルを読込むものであることを特徴とする。これにより、例えばインデックスファイル内の情報に対応させて生成された従来のＥｘｉｆ規格による静止画の実体ファイルを、インデックスファイルを使った高速な検索が可能となる。
【００２１】
本発明の一の形態によれば、前記第２の読込み手段は、前記第２の読込み手段により読込まれた前記第２のサブディレクトリ内の情報に基づき、前記実体ファイルを読込むものであることを特徴とする。これにより、例えばインデックスファイル内の情報に対応させて生成された従来のＥｘｉｆ規格による静止画の実体ファイルを、従来の例えばＥｘｉｆ規格に則った電子機器により読込むこと等も可能となり、異なるファイルフォーマット間の互換もより容易かつ低コストとすることが可能となる。
【００２２】
本発明の一の形態によれば、前記第２の読込み手段は、その読込み手段による読込みをするか否か選択することのできる選択手段を有し、その選択手段による選択情報により、前記第２のサブディレクトリの下に生成された前記入力情報の実体ファイルを読込むことを特徴とする。これにより、例えば最初にインデックスファイルによる実体ファイルの検索をし、その後必要に応じて例えば従来のＥｘｉｆ規格に則り実体ファイルを読込むように、再生方法を選択できるので異なるファイルフォーマット間の互換性をより高めることができる。
【００２３】
本発明の一の形態によれば、前記選択手段は、前記第２のサブディレクトリの下に実体ファイルが生成されたか否か判断する判断手段を有し、その判断手段が前記実体ファイルは生成されなかったと判断したときは、前記選択手段は規制されることを特徴とする。これにより、最初にインデックスファイルによる実体ファイルの検索をし、その後従来のＥｘｉｆ規格に則り実体ファイルを読込みしようとしたときに、実体ファイルが例えばＤＣＩＭディレクトリの下に生成されなかったと判断されたときは、例えば選択ボタンを表示させないようにして無用な処理を無くすと共に、ユーザーに容易に実体ファイルが存在しないこと知らせることができる。
【００２４】
本発明の一の形態によれば、前記判断手段は、前記第１の読込み手段により読込まれたインデックスファイル内の情報に基づき前記第２のサブディレクトリの下に実体ファイルが生成されたか否か判断することができることを特徴とする。これにより、例えばインデックスファイル内の情報に実体ファイルが生成されていないことを表すフラグを追加することにより、最初のインデックスファイルの読込みにより従来のＥｘｉｆ規格に則り実体ファイルを読込む再生方法の選択を規制することが可能となる。
【００２５】
本発明の一の形態によれば、前記入力情報は映像情報を有し、少なくとも前記第２のサブディレクトリはディジタルスチルカメラ用画像ファイルフォーマット規格に基づくことを特徴とする。これにより、例えば静止画ファイルを従来のＥｘｉｆ規格に則り読込むことが可能となり、インデックスファイルを用いた高速な検索機能を提供しながら、更に互換性を向上させることができる。
【００２６】
本発明の他の観点に係るディレクトリ生成方法は、ルートディレクトリの下に、入力情報のインデックスファイルを前記ルートディレクトリに関係付ける第１のサブディレクトリを生成する第１の生成工程と、前記ルートディレクトリの下に、前記入力情報の少なくとも一部の実体ファイルを前記ルートディレクトリに関係付ける第２のサブディレクトリを、前記第１のサブディレクトリと並列に生成可能な第２の生成工程とを具備することを特徴とする。
【００２７】
本発明では、ルートディレクトリの下に入力情報のインデックスファイルを関係付ける第１のサブディレクトリを生成する第１の生成工程と、その第１のサブディレクトリと並列に入力情報の少なくとも一部の実体ファイルを関係付ける第２のサブディレクトリを生成する第２の生成工程を具備することとしたので、互換の為に別途ファイルを生成しなくても、インデックスファイルを用いた高速な検索機能を提供しながら、従来の例えばＥｘｉｆ規格により実体ファイルを読込むこと等も可能となり、異なるファイルフォーマット間の互換もより容易かつ低コストとすることが可能となる。
【００２８】
本発明の他の観点に係るディレクトリ読込み方法は、ルートディレクトリの下に生成された、入力情報のインデックスファイルを前記ルートディレクトリに関係付ける第１のサブディレクトリを読込む第１の読込み工程と、前記第１のサブディレクトリと並列に前記ルートディレクトリの下に生成された、前記入力情報の少なくとも一部の実体ファイルを前記ルートディレクトリに関係付ける第２のサブディレクトリを読込み可能な第２の読込み工程とを具備することを特徴とする。
【００２９】
本発明では、ルートディレクトリの下に入力情報のインデックスファイルを関係付けるように生成された第１のサブディレクトリを読込む第１の読込み工程と、その第１のサブディレクトリと並列に入力情報の少なくとも一部の実体ファイルを関係付けるように生成された第２のサブディレクトリを読込み可能な第２の読込み工程を具備することとしたので、互換の為に別途ファイルを生成しなくても、インデックスファイルを用いた高速な検索機能を提供しながら、従来の例えばＥｘｉｆ規格により実体ファイルを読込むこと等も可能となり、異なるファイルフォーマット間の互換もより容易かつ低コストとすることが可能となる。
【００３０】
本発明の他の観点に係るコンピュータプログラムは、コンピュータに、ルートディレクトリの下に、入力情報のインデックスファイルを前記ルートディレクトリに関係付ける第１のサブディレクトリを生成する第１の生成工程と、前記ルートディレクトリの下に、前記入力情報の少なくとも一部の実体ファイルを前記ルートディレクトリに関係付ける第２のサブディレクトリを、前記第１のサブディレクトリと並列に生成可能な第２の生成工程とを実行させることを特徴とする。
【００３１】
本発明では、ルートディレクトリの下に入力情報のインデックスファイルを関係付ける第１のサブディレクトリを生成する第１の生成工程と、その第１のサブディレクトリと並列に入力情報の少なくとも一部の実体ファイルを関係付ける第２のサブディレクトリを生成可能な第２の生成工程を具備することとしたので、当該コンピュータプログラムを用いることによって、互換の為に別途ファイルを生成しなくても、インデックスファイルを用いた高速な検索機能を提供しながら、従来の例えばＥｘｉｆ規格により実体ファイルを読込むこと等も可能となり、異なるファイルフォーマット間の互換もより容易かつ低コストとすることが可能となる。
【００３２】
本発明の他の観点に係るコンピュータプログラムは、コンピュータに、ルートディレクトリの下に生成された、入力情報のインデックスファイルを前記ルートディレクトリに関係付ける第１のサブディレクトリを読込む第１の読込み工程と、前記第１のサブディレクトリと並列に前記ルートディレクトリの下に生成された、前記入力情報の少なくとも一部の実体ファイルを前記ルートディレクトリに関係付ける第２のサブディレクトリを読込み可能な第２の読込み工程とを実行させることを特徴とする。
【００３３】
本発明では、ルートディレクトリの下に入力情報のインデックスファイルを関係付けるように生成された第１のサブディレクトリを読込む第１の読込み工程と、その第１のサブディレクトリと並列に入力情報の少なくとも一部の実体ファイルを関係付けるように生成された第２のサブディレクトリを読込み可能な第２の読込み工程を具備することとしたので、当該コンピュータプログラムを用いることによって、互換の為に別途ファイルを生成しなくてもインデックスファイルを用いた高速な検索機能を提供しながら、従来の例えばＥｘｉｆ規格により実体ファイルを読込むこと等も可能となり、異なるファイルフォーマット間の互換もより容易かつ低コストとすることが可能となる。
【００３４】
【発明の実施の形態】
以下、本発明の実施の形態を図面に基づき説明する。尚、以下に実施形態を説明するにあたっては、電子機器の例として記録媒体を使用するデジタルカメラを中心に説明するが、これに限られるものではない。
【００３５】
図１は本発明の第１の実施形態に係るデジタルカメラの操作部側から見た概略斜視図、図２はデジタルカメラの撮像部側から見た概略斜視図、図３はデジタルカメラの制御部を中心とするブロック図、図４はデジタルカメラで生成されたディレクトリ・ファイル構造の説明図、図５は映像情報を記録媒体に記録する場合のフローチャート図、図６は本発明の第１の実施形態に係るデジタルカメラで記録媒体に記録したあと他の規格による電子機器で再生する場合の説明図、図７は本発明の第１の実施形態に係るデジタルカメラで記録媒体に記録したあと他の規格による電子機器で更に記録媒体に記録する場合の説明図、図８は記録媒体に記録された映像情報を再生する場合のフローチャート図、図９は本発明の第１の実施形態に係るデジタルカメラのメニュー画面の説明図、図１０は本発明の第１の実施形態に係るデジタルカメラの他機種再生メニュー画面の説明図、図１１は静止画の実体ファイルが存在しないディレクトリ構造の説明図及び図１２は静止画のインデックスファイルは存在しないが実体ファイルは存在するディレクトリ構造の説明図である。
【００３６】
図１及び図２に示すように電子機器は、例えばデジタルカメラ１であり、そのデジタルカメラ１は可搬性の記録媒体２が着脱可能となっている。
【００３７】
ここで、可搬性の記録媒体２は記録素子として例えばフラッシュメモリを用いた記録媒体をいう（以下単に「記録媒体」という。）
デジタルカメラ１は、例えば図１、図２及び図３に示すようにカメラ本体３、カメラ本体３の側面に閉じ込むように回転可能な表示部４を有する。
【００３８】
また、カメラ本体３は操作情報や映像情報、音響情報等を入出力する入出力部５、記録媒体２等との情報のやり取りをするインターフェース部６及び情報の入出力や選択等のデジタルカメラ１全体の動作を制御する制御部７等を備えている。
【００３９】
更に入出力部５は、例えば図３に示すようにデジタルカメラ１を操作する操作部８、被写体を撮像し電気信号に変換し処理する撮像部９、音響情報と電気信号との変換や処理をする音響部１０等を有する。
【００４０】
ここで、操作部８は例えば図１及び図２に示すようにカメラ本体３のレンズが配置された正面と反対側の側面（カメラ本体背面）にリング式ダイヤル１１、その中央に配置されたアクションボタン１２が設けられている。リング式ダイヤル１１は、例えば表示部４に表示されたボタン等をマウスのように選択するためのものであり、アクションボタン１２は例えば２段階に押し込めるようになっており、ＰＬＡＹやＲＥＣ、シャッター等を選択できる。
【００４１】
また、リング式ダイヤル１１の下には例えばモードダイヤル１４、更にモードダイヤル１４の中央に配置されたファンクションボタン１５及びパワースイッチ１６が設けられている。ここで、モードダイヤル１４は静止画撮影モードや動画撮影モード及び再生モード等を選択するためのものである。更にファンクションボタン１５は例えば２段階に押し込めるようになっており、ＭＥＮＵ等を選択でき、パワースイッチ１６は電源の投入等ができる。
【００４２】
カメラ本体３のレンズ側には操作部８のズームスイッチ１７等が設けられている。ここで、ズームスイッチ１７は被写体をズームアップしたり、表示部４の表示画面に表示された動画を静止画に切り替えたりするとき等に使用するものである。
【００４３】
また、撮像部９は例えば被写体の像を結ぶレンズ１８、レンズ１８からの結像を電気信号に変える図示しない撮像素子１９及びその撮像素子１９からの電気信号を処理する画像処理部等を備える。ここで、撮像素子１９は例えばＣＣＤ（Ｃｈａｒｇｅ  Ｃｏｕｐｌｅｄ  Ｄｅｖｉｃｅ）であり、多数の受光素子により構成されている。
【００４４】
更に音響部１０は、例えば外部から音声等を取り入れ電気信号に変換するマイク２０や電気信号を音声等に変換するスピーカー２１等を有する。
【００４５】
インターフェース部６は、例えば図２及び図３に示すように記録媒体２等と制御部７等とを接続するものであり、その記録媒体２をカメラ本体３に着脱ができるようにメモリースロット２２等を備えている。
【００４６】
次に制御部７は、例えば図３に示すように演算と制御とをするＣＰＵ（Ｃｅｎｔｒａｌ  Ｐｒｏｃｅｓｓｉｎｇ  Ｕｎｉｔ）２３、必要に応じて一時的に画像情報、ディレクトリ情報、ファイル情報、各種データ及びソフト等を記録し、デジタルカメラ１の制御をより円滑に行うＤＲＡＭ（Ｄｙｎａｍｉｃ  Ｒａｎｄｏｍ  Ａｃｃｅｓｓ  Ｍｅｍｏｒｙ）２４、ＲＯＭ（Ｒｅａｄ  Ｏｎｌｙ  Ｍｅｍｏｒｙ）２５及び各種のソフトウェアが格納されたソフトウェア格納部２６等が備えられている。
【００４７】
また、ソフトウェア格納部２６には例えば図３に示すように入力情報読込み機構２７、撮像処理機構２８、ディレクトリ・ファイル生成機構２９、画像表示機構３０、記録情報出力機構３１、再生機構３２及び他機種再生機構３４等が格納されている。
【００４８】
ここで、入力情報読込み機構２７はＣＰＵ２３の制御の下例えばインターフェース部６を介して入力された情報を読込み、その情報内容例えば記録媒体２に記録されたディレクトリやファイル構造等の情報、更にはそのファイルに格納された静止画に関する情報等をディレクトリ・ファイル生成機構２９、画像表示機構３０、再生機構３２及び他機種再生機構３４等に受け渡すことができる。
【００４９】
更に入力情報読込み機構２７は、ＣＰＵ２３の制御下例えば入出力部５の操作部８のモードダイヤル１４等からの入力情報を読込み、静止画撮影モードや動画撮影モード及び再生モード等の選択の情報等を撮像処理機構２８、ディレクトリ・ファイル生成機構２９、画像表示機構３０、記録情報出力機構３１、再生機構３２及び他機種再生機構３４等に受け渡すこともできる。
【００５０】
また、撮像処理機構２８はＣＰＵ２３の制御下例えば撮像部９の撮像素子１９からの電気信号をデジタル化し画像表示機構３０に受け渡すと共に、例えばＪＰＥＧ（Ｊｏｉｎｔ  Ｐｈｏｔｏｇｒａｐｈｉｃ  Ｅｘｐｅｒｔｓ  Ｇｒｏｕｐ）を使用して静止画を圧縮し、その圧縮された映像情報を一旦ＤＲＡＭ２４に記録することができる。
【００５１】
更にディレクトリ・ファイル生成機構２９は、ＣＰＵ２３の制御下例えばＤＲＡＭ２４から圧縮された映像情報を読込んだときは、図４に示すようにＲＯＯＴディレクトリ３５の下にＱｕｉｃｋ  Ｔｉｍｅ（商標）の応用形式で静止画用等のインデックスファイルとしてのＡＶＩｎｄｅｘファイル３７を設けるためのサブディレクトリであるＭＱ  ＲＯＯＴディレクトリ３６を生成でき、その下に例えば静止画用のインデックスファイルであるＡＶＩＳ００００１．ＭＱＶ３９を生成する。
【００５２】
また、ＭＱ  ＲＯＯＴディレクトリ３６は主にＭＱＴ方式の動画・静止画・音声・音楽コンテンツを保存するためのディレクトリであり、本発明の電子機器例えばデジタルカメラ１は動画ファイル記録・再生の際、このディレクトリの下に実動画ファイル及び動画用のインデックスを記録する。更に本発明の電子機器、例えばデジタルカメラ１が静止画の実データの再生・他機種変換モード以外は、主にＭＱ  ＲＯＯＴディレクトリ３６にアクセスするように制御される。
【００５３】
ここで、インデックスファイルには例えばプロパティ、テキスト、サムネイル及びイントロの４種類のデータが収容できる。プロパティは各ＡＶファイル（ファイルのデータが画像データやオーディオデータであるファイルをいう。）の属性を示すデータであり、ＡＶファイルの実データを参照する情報を有する。
【００５４】
また、ディレクトリ・ファイル生成機構２９はＣＰＵ２３の制御下例えば図４に示すように、ＲＯＯＴディレクトリ３５の下にＭＱ  ＲＯＯＴディレクトリ３６と並列にＤＣＩＭディレクトリ４０を生成できる。
【００５５】
更にディレクトリ・ファイル生成機構２９は、ＣＰＵ２３の制御下例えばＤＣＩＭディレクトリ４０の下にサブディレクトリとして１００ＭＳＤＣＦディレクトリ４１を生成し、その下に静止画の実体ファイルとしてＮＲＱ００００１．ＪＰＧ４２を生成できる。
【００５６】
すなわち、ディレクトリ・ファイル生成機構２９はルートディレクトリの下に、インデックスファイルをルートディレクトリに関係付ける第１のサブディレクトリとしてのＭＱ  ＲＯＯＴディレクトリ３６を生成する第１の生成手段であると共に、実体ファイルをルートディレクトリに関係付ける第２のサブディレクトリとしてのＤＣＩＭディレクトリ４０を生成する第２の生成手段でもある。
【００５７】
また、ディレクトリ・ファイル生成機構２９はＣＰＵ２３の制御下例えばＤＲＡＭ２４から、記録媒体２に既にインデックスファイル等が存在するか否か等の情報を読込み、その記録状況に対応し必要なディレクトリ及びファイルを生成することができる。
【００５８】
ここで、ＤＣＩＭディレクトリ４０等は、後述するように画像ファイルフォーマット規格Ｅｘｉｆと、着脱型メモリに効率よく記録し管理するためのディレクトリとファイルとの構造が規定されたＣＩＦＥ（Ｃａｍｅｒａ  Ｉｍａｇｅ  Ｆｉｌｅ  Ｆｏｒｍａｔ）とをベースとして策定されたＤＣＦ（Ｄｅｓｉｇｎ  ｒｕｌｅ  ｆｏｒ  Ｃａｍｅｒａ  Ｆｉｌｅ  ｓｙｓｔｅｍ）に基づいている。これによって、従来の画像ファイルフォーマット規格Ｅｘｉｆにのみ対応する電子機器であっても、静止画を再生できることとなり異なるファイルフォーマットを採用した電子機器間でも簡単に静止画を再生できることとなる。
【００５９】
次に、画像表示機構３０はＣＰＵ２３の制御下例えば撮像処理機構２８から受取った映像情報を受取り、表示部４にモニター表示させることができる他、入力情報読込み機構２７からの情報に基づきデジタルカメラ１の各操作の状況や各選択ボタン等を表示させること等もできる。
【００６０】
また、画像表示機構３０はＣＰＵ２３の制御下例えば後述する再生機構３２から受取った記録媒体２に記録された映像情報等を表示させることもできる。
【００６１】
更に記録情報出力機構３１は、ＣＰＵ２３の制御下例えば図４に示すようにディレクトリ・ファイル生成機構２９により生成されたディレクトリ及びファイル等の情報を記録媒体２に出力し記録することができる。
【００６２】
すなわち、記録情報出力機構３１はルートディレクトリ、第１のサブディレクトリであるＭＱ  ＲＯＯＴディレクトリ３６、インデックスファイル例えばＡＶＩＳ００００１．ＭＱＶ３９、第２のサブディレクトリであるＤＣＩＭディレクトリ４０及び実体ファイル例えばＮＲＱ００００１．ＪＰＧ４２を記録媒体２に記録する記録手段でもある。
【００６３】
また、再生機構３２はＣＰＵ２３の制御下例えば操作部８からの再生を指示する情報が入力情報読込み機構２７より伝えられると、記録媒体２に記録された静止画等のディレクトリ及びファイル等を入力情報読込み機構２７に読込ませ、その静止画の実データ等を受取ることができる。更に再生機構３２は、その情報を必要な処理をして画像表示機構３０に受け渡すことができる。
【００６４】
すなわち、入力情報読込み機構２７、再生機構３２等はインデックスファイル例えばＡＶＩＳ００００１．ＭＱＶ３９をルートディレクトリであるＲＯＯＴディレクトリ３５に関係付ける第１のサブディレクトリであるＭＱ  ＲＯＯＴディレクトリ３６を読込む第１の読込み手段でもある。
【００６５】
また、他機種再生機構３４はＣＰＵ２３の制御下例えばメニー画面のときに他機種再生ボタンを画像表示機構３０に表示させ、その他機種再生ボタンが選択され、実行されるとＭＱ  ＲＯＯＴディレクトリ３６下のインデックスファイルによらずに直接、ＤＣＩＭディレクトリ４０及び例えば１００ＭＳＤＣＦディレクトリ４１、ＮＲＱ００００１．ＪＰＧ４２等の生成されている全ての静止画の実体ファイルを読込み、画像表示機構３０等に受け渡すことができる。
【００６６】
これにより、ＭＱ  ＲＯＯＴディレクトリ３６下のインデックスファイルの例えばプロパティに参照情報がない静止画であっても再生が可能となる。
【００６７】
すなわち、入力情報読込み機構２７、他機種再生機構３４等はＭＱ  ＲＯＯＴディレクトリ３６と並列にＲＯＯＴディレクトリ３５の下に生成された第２のサブディレクトリであるＤＣＩＭディレクトリ４０を読込み可能な第２の読込み手段でもある。
【００６８】
更に表示部４は、撮像情報等の表示として例えばカラー液晶表示装置が用いられ、そのカラー液晶表示装置の液晶パネルの表示面１３が図１に示すように表示部４の一方の面に形成されている。
【００６９】
次に、図４のディレクトリ・ファイル構造（以下「ディレクトリ構造」という。）について簡単に説明する。
【００７０】
ディレクトリ構造は例えば図４に示すようにＲＯＯＴディレクトリ３５を頂点としてツリー状に構成されており、Ｑｕｉｃｋ  Ｔｉｍｅの応用形式のインデックスファイルを使用するため、ＭＱ  ＲＯＯＴディレクトリ３６をそのＲＯＯＴディレクトリ３５の下に設けている。更にその下に、例えば動画用のインデックスファイルであるＡＶＩＶ００００１．ＭＱＶ３８と静止画用のインデックスファイルであるＡＶＩＳ００００１．ＭＱＶ３９とを並列に有するＡＶＩｎｄｅｘファイル３７が設けられている。
【００７１】
また、動画用のインデックスファイルであるＡＶＩＶ００００１．ＭＱＶ３８には、例えば図４に示すようにＡＶＩＶ００００１．ＭＱＶ３８に並列に、そのサブディレクトリとして１００ＶＩＤＥＯディレクトリ５８が設けられ、更にその下に例えば動画の実体ファイルとしてＮＲＱ００００１．ＭＱＶ５９、ＮＲＱ００００２．ＭＱＶ６０等が設けられている。
【００７２】
また、ＲＯＯＴディレクトリ３５の下にはＭＱ  ＲＯＯＴディレクトリ３６と並列にＤＣＩＭディレクトリ４０が設けられている。ＤＣＩＭディレクトリ４０はＤＣＦに対応する電子機器で再生可能なディレクトリであり、その下に例えばサブディレクトリとして１００ＭＳＤＣＦディレクトリ４１が設けられている。
【００７３】
また、サブディレクトリ名としての例えば１００ＭＳＤＣＦディレクトリ４１はＤＣＦに基づいて生成されており、先頭３文字は重複しない１００〜９９９の番号であり、残りの５文字は使用可能として定められた中で自由に選択できる。ＤＣＦのディレクトリに関する規定に従って生成されたＤＣＩＭディレクトリ４０下の画像格納用ディレクトリ（以下「ＤＣＦディレクトリ」という。）を追加生成する場合は、図４に示す１０１ＭＳＤＣＦディレクトリ４５のように、ディレクトリ番号はすでに存在するディレクトリの最大番号＋１より連番となることが望ましい。
【００７４】
更に１００ＭＳＤＣＦディレクトリ４１の下には、例えばファイルとしてＮＲＱ００００１．ＪＰＧを設けられる。
【００７５】
ここで、ファイル名として例えばＮＲＱ００００１．ＪＰＧは、先頭４文字はＤＣＦで定められた文字の中で自由に選択可能であり、続く４桁番号はファイル番号で、その後に拡張子が記述される。
【００７６】
また、ファイル番号はＤＣＦで定められた規定に従って記録されたファイル群（ＤＣＦオブジェクト）では最大９９９９個まで記録可能であり、欠番があってもよい。
【００７７】
更に拡張子ＪＰＧは、例えばファイル名ＮＲＱ００００１．ＪＰＧのファイルがＪＰＥＧ形式で圧縮された静止画情報であることを示すものである。他に「ＥＭＯ」を拡張子に使用して、静止画用エモーションファイルであることを示すこともできる。これによって、「ＪＰＧ」と「ＥＭＯ」とで拡張子のみが異なる２つのファイルからＤＣＦオブジェクトを構成できる。
【００７８】
次に、インデックスファイルであるＡＶＩＳ００００１．ＭＱＶ３９についても簡単に説明する。
【００７９】
ＡＶＩＳ００００１．ＭＱＶ３９は、ＭＱ  ＲＯＯＴディレクトリ３６の下に静止画用のインデックスファイルとして設けられている。
【００８０】
ここで、ＡＶＩＳ００００１．ＭＱＶ３９は例えばプロパティ、テキスト及びサムネイル等のデータが収容されており、プロパティは各ＡＶファイルの属性を示すデータであり、ＡＶファイルの実データ例えばＮＲＱ００００１．ＪＰＧ４２等を参照する情報も有する。
【００８１】
また、テキストは各ＡＶファイルに係るタイトルの文字列を示すデータであり、サムネイルは各ＡＶファイルの代表的な画像データを画素の間引き等により小型化、簡素化した画像データである。
【００８２】
ＡＶＩＳ００００１．ＭＱＶ３９は、具体的には例えばインデックスアトムとインデックスデータアトムとを有し、インデックスアトムにはムービーヘッダアトム、トラックアトム（プロパティ）、トラックアトム（テキスト）、トラックアトム（サムネイル）等を備えている。
【００８３】
ここで、トラックアトム（プロパティ）にはインデックスデータアトムの夫々のエントリ番号に対応して、例えばＡＶファイルプロパティ♯１にデータ長及び開始バイト位置の情報が収容されており、実データであるインデックスデータアトムのプロパティを管理する情報となっている。
【００８４】
また、インデックスデータアトムには各エントリ番号毎に例えばプロパティ、テキスト及びサムネイル等が収容されており、プロパティにはエントリ管理情報とファイル属性情報を有する。
【００８５】
ここで、エントリ管理情報はエントリ自身を管理するための情報であり、エントリ番号、エントリプロパティ等を有する。エントリプロパティは、エントリの属性、状態を示すものである。
【００８６】
更にファイル属性情報は例えばバージョン（ｖｅｒｓｉｏｎ）、フラグ（ｆｌａｇｓ）、データタイプ（ｄａｔａ  ｔｙｐｅ）、製作日時（ｃｒｅａｔｉｏｎｔｉｍｅ）、ファイル識別子（ｂｉｎａｒｙ  ｆｉｌｅ  ｉｄｅｎｔｉｆｉｅｒ）、リファリングファイルリスト（ｒｅｆｅｒｒｉｎｇ  ｆｉｌｅ  ｌｉｓｔ）、ＵＲＬファイルアイデンティファイア（ＵＲＬ  ｆｉｌｅ  ｉｄｅｎｔｉｆｉｅｒ）等によって構成されている。
【００８７】
バージョンはエントリに登録されたファイルのバージョン番号であり、フラグはファイルの属性を識別するためのものである。
【００８８】
また、データタイプはＡＶファイルのデータの種類例えば静止画等を示し、ファイル識別子は当該プロパティに係るファイルの所在を示すバイナリデータである。
【００８９】
更にリファリングファイルリストはエントリ番号又は実際のファイルの所在を示すＩＤが記述され、ＵＲＬファイルアイデンティファイアはファイルの所在を示すＵＲＬ形式のデータである。
【００９０】
次に、以上のように構成されたデジタルカメラ１の動作を説明する。
【００９１】
まず、映像情報を記録媒体２に記録する場合について説明する。なお、ＭＱ  ＲＯＯＴディレクトリ３６は主にＭＱＴ方式の動画・静止画・音声・音楽コンテンツを保存するためのディレクトリであり、本発明の電子機器例えばデジタルカメラ１は、動画ファイル記録・再生の際、このディレクトリの下に実動画ファイル及び動画用のインデックスを記録する。以下に説明する映像情報を記録媒体２に記録する場合も、図４及び図６等に示すように既に動画用のインデックスファイルである例えばＡＶＩＶ００００１．ＭＱＶ３８、そのサブディレクトリである１００ＶＩＤＥＯディレクトリ５８及び実体ファイルであるＮＲＱ００００１．ＭＱＶ５９等が生成されているものとして説明する。
【００９２】
図５に示すように、デジタルカメラ１のメモリースロット２２に記録媒体２を装着し、パワースイッチ１６により電源を投入する（ＳＴ１０１）と、ＣＰＵ２３は入力情報読込み機構２７にメモリースロット２２に記録媒体２が装着されているか判断させる（ＳＴ１０２）。ＣＰＵ２３は入力情報読込み機構２７がメモリースロット２２に装着されていないと判断したときは、画像表示機構３０にエラー表示させる（ＳＴ１０３）。
【００９３】
また、ＣＰＵ２３は例えばモードダイヤル１４により静止画撮影モードが選択されたとの情報を入力情報読込み機構２７から受取ると、画像表示機構３０に録画待機画像を表示させる。このとき、画像サイズやファイル番号等の設定をすることも可能である。
【００９４】
更にＣＰＵ２３は静止画撮影モード等の設定がなされ（ＳＴ１０４）、例えばアクションボタン１２が全押しされたとの情報が入力情報読込み機構２７から伝えられたときは、その情報を撮像部９に受渡し静止画を撮像させる（ＳＴ１０５）。
【００９５】
また、ＣＰＵ２３は撮像部９からの電気信号を撮像処理機構２８に必要な処理例えばＪＰＥＧにより画像圧縮させ、その画像情報を一旦ＤＲＡＭ２４に記録させる（ＳＴ１０６）。
【００９６】
次に、ＣＰＵ２３は入力情報読込み機構２７に記録媒体２の記録情報を読込ませ（ＳＴ１０７）、その読込んだ情報をディレクトリ・ファイル生成機構２９に受渡らせる。そして、ＣＰＵ２３はディレクトリ・ファイル生成機構２９に静止画のインデックスファイル例えば図４及び図６に示すＡＶＩＳ００００１．ＭＱＶ３９が存在するか判断させる（ＳＴ１０８）。
【００９７】
ＣＰＵ２３は、ディレクトリ・ファイル生成機構２９が例えばＡＶＩＳ００００１．ＭＱＶ３９が存在しないと判断したときは、更にディレクトリ・ファイル生成機構２９にＤＣＩＭディレクトリ４０が存在するか判断させる（ＳＴ１０９）。
【００９８】
ここで、ディレクトリ・ファイル生成機構２９がＤＣＩＭディレクトリ４０は存在しないと判断したときは、記録媒体２にはまだ静止画の実体ファイルが存在しないこととなる。そして、ディレクトリ・ファイル生成機構２９にインデックスファイルとしてＡＶＩＳ００００１．ＭＱＶ３９及びＤＣＩＭディレクトリ４０、最初のＤＣＦディレクトリとして例えば１００ＭＳＤＣＦディレクトリ４１、更に静止画の実体的ファイルとして例えばＮＲＱ００００１．ＪＰＧ４２という名のファイルの記録領域を確保させ、記録位置を決定させてディレクトリ及びファイルを生成させる（ＳＴ１１０）。
【００９９】
このとき、ＡＶＩＳ００００１．ＭＱＶ３９のプロパティにはＤＣＩＭディレクトリ４０、例えば１００ＭＳＤＣＦディレクトリ４１、更に静止画の実体的ファイルとして例えばＮＲＱ００００１．ＪＰＧ４２に関する参照情報が収容される。これにより、インデックスファイルにより高速な検索機能を利用できると共に、従来の例えばＥｘｉｆ規格により実体ファイル例えばＮＲＱ００００１．ＪＰＧ４２を読込むことも可能となり、異なるファイルフォーマット間の互換もより容易かつ低コストとすることが可能となる。
【０１００】
また、ＣＰＵ２３はディレクトリ・ファイル生成機構２９に生成させたディレクトリやファイルの情報を記録情報出力機構３１により記録媒体２に出力させ記録させる（ＳＴ１１１）。
【０１０１】
尚、記録媒体２への記録は例えば記録媒体２をメモリースロット２２から取り外す直前に、一定時間毎の適切なタイミングで記録させるようにしても良い。
【０１０２】
次に、ＣＰＵ２３はＳＴ１０９でＤＣＩＭディレクトリ４０が存在するとディレクトリ・ファイル生成機構２９に判断させたときは、更にＤＣＦディレクトリのファイルがいっぱいになっているかディレクトリ・ファイル生成機構２９に判断させる（ＳＴ１１２）。
【０１０３】
ここで、ＤＣＦディレクトリのファイルがいっぱいになっているかはＤＣＦディレクトリのディレクトリ番号の一番大きいＤＣＦディレクトリ下の実体ファイルが例えば図４に示すＮＲＱ０９９９９．ＪＰＧ４４のようにそのファイル番号が９９９９となっているか否かで判断できる。
【０１０４】
ディレクトリ・ファイル生成機構２９が、ファイル番号が９９９９になっていると判断したときは、ＣＰＵ２３はディレクトリ・ファイル生成機構２９にＤＣＦディレクトリのファイルがいっぱいになっていると判断させる。
【０１０５】
次に、ＣＰＵ２３はディレクトリ・ファイル生成機構２９にインデックスファイルとして例えばＡＶＩＳ００００１．ＭＱＶ３９及び次のＤＣＦディレクトリとして例えば１０１ＭＳＤＣＦディレクトリ４５、更にＤＣＦディレクトリのディレクトリ番号の一番大きいＤＣＦディレクトリ下の静止画の実体的ファイルとして例えばＮＲＱ００００１．ＪＰＧ４６という名のファイルの記録領域を確保させ、記録位置を決定させてディレクトリ及びファイルを生成させる（ＳＴ１１３）。
【０１０６】
このとき、ＡＶＩＳ００００１．ＭＱＶ３９のプロパティには例えば１０１ＭＳＤＣＦディレクトリ４５、更に静止画の実体的ファイルとして例えばＮＲＱ００００１．ＪＰＧ４６に関する参照情報が収容される。これにより、インデックスファイルにより高速な検索機能を利用できると共に、従来の例えばＥｘｉｆ規格により実体ファイル例えばＮＲＱ００００１．ＪＰＧ４６を読込むことも可能となり、異なるファイルフォーマット間の互換もより容易かつ低コストとすることが可能となる。
【０１０７】
また、ＣＰＵ２３はディレクトリ・ファイル生成機構２９に生成させたディレクトリやファイルの情報を記録情報出力機構３１により記録媒体２に出力させ記録させる（ＳＴ１１４）。
【０１０８】
次に、ＣＰＵ２３はＳＴ１１２でディレクトリ・ファイル生成機構２９にＤＣＦディレクトリのファイルがいっぱいになっていないと判断させたときは、ディレクトリ・ファイル生成機構２９にインデックスファイルとして例えばＡＶＩＳ００００１．ＭＱＶ３９及びそのＤＣＦディレクトリの例えば１０１ＭＳＤＣＦディレクトリ４５下での静止画の実体的ファイルのファイル番号＋１となるような、ＮＲＱ００００２．ＪＰＧ４７という名のファイルの記録領域を確保させ、記録位置を決定させてファイルを生成させる（ＳＴ１１５）。
【０１０９】
このとき、ＡＶＩＳ００００１．ＭＱＶ３９のプロパティには例えば静止画の実体的ファイルとして例えばＮＲＱ００００２．ＪＰＧ４７に関する参照情報が収容される。これにより、インデックスファイルにより高速な検索機能を利用できると共に、従来の例えばＥｘｉｆ規格により実体ファイル例えばＮＲＱ００００２．ＪＰＧ４７を読込むことも可能となり、異なるファイルフォーマット間の互換もより容易かつ低コストとすることが可能となる。
【０１１０】
また、ＣＰＵ２３はディレクトリ・ファイル生成機構２９に生成させたファイルの情報を記録情報出力機構３１により記録媒体２に出力させ記録させる（ＳＴ１１６）。
【０１１１】
次に、ＣＰＵ２３はＳＴ１０８でディレクトリ・ファイル生成機構２９にインデックスファイルがあると判断させたときは、原則的にはＤＣＩＭディレクトリ４０及びそのサブディレクトリが存在することとなるので、ディレクトリ・ファイル生成機構２９にＤＣＦディレクトリのファイルがいっぱいになっているか判断させる（ＳＴ１１７）。
【０１１２】
ここで、ＣＰＵ２３はＳＴ１１７でディレクトリ・ファイル生成機構２９にＤＣＦディレクトリのファイルがいっぱいになっていると判断させたときは、次のＤＣＦディレクトリとして例えば図４に示すように１０１ＭＳＤＣＦディレクトリ４５、更にＤＣＦディレクトリのディレクトリ番号の一番大きいＤＣＦディレクトリ下の静止画の実体的ファイルとして例えばＮＲＱ００００１．ＪＰＧ４６という名のファイルの記録領域を確保させ、記録位置を決定させてディレクトリ及びファイルを生成させる（ＳＴ１１８）。
【０１１３】
この際、ＡＶＩＳ００００１．ＭＱＶ３９のプロパティには例えば１０１ＭＳＤＣＦディレクトリ４５、更に静止画の実体的ファイルとして例えばＮＲＱ００００１．ＪＰＧ４６に関する参照情報が収容される。これにより、インデックスファイルにより高速な検索機能を利用できると共に、従来の例えばＥｘｉｆ規格により実体ファイル例えばＮＲＱ００００１．ＪＰＧ４６を読込むことも可能となり、異なるファイルフォーマット間の互換もより容易かつ低コストとすることが可能となる。
【０１１４】
また、ＣＰＵ２３はディレクトリ・ファイル生成機構２９に生成させたディレクトリやファイルの情報を記録情報出力機構３１により記録媒体２に出力させ記録させる（ＳＴ１１９）。
【０１１５】
次に、ＣＰＵ２３はＳＴ１１７でディレクトリ・ファイル生成機構２９にＤＣＦディレクトリのファイルがいっぱいになっていないと判断させたときは、ディレクトリ・ファイル生成機構２９にディレクトリ番号が一番大きいＤＣＦディレクトリ、例えば１０１ＭＳＤＣＦディレクトリ４５下での静止画の実体的ファイルのファイル番号＋１となるような、例えばＮＲＱ００００２．ＪＰＧ４７という名のファイルの記録領域を確保させ、記録位置を決定させてファイルを生成させる（ＳＴ１２０）。
【０１１６】
この場合も、ＡＶＩＳ００００１．ＭＱＶ３９のプロパティには例えばＮＲＱ００００２．ＪＰＧ４７に関する参照情報が収容される。
【０１１７】
また、ＣＰＵ２３はディレクトリ・ファイル生成機構２９に生成させたファイルの情報を記録情報出力機構３１により記録媒体２に出力させ記録させる（ＳＴ１２１）。
【０１１８】
尚、ファイルの削除等により静止画の実体ファイルのみ全く存在しない場合はファイル番号０００１例えばＮＲＱ００００１．ＪＰＧ４２という名のファイルの記録領域を確保させ、記録位置を決定させてファイルを生成させる（ＳＴ１２０）。
【０１１９】
更にＤＣＩＭディレクトリ４０及びそのＤＣＦディレクトリも存在しない場合（例えば図１１に示すようなディレクトリ構造の場合）はＤＣＩＭディレクトリ４０とディレクトリ番号の一番小さいＤＣＦディレクトリ例えば１００ＭＳＤＣＦディレクトリ４１及びファイル番号０００１例えばＮＲＱ００００１．ＪＰＧ４２という名のファイルの記録領域を確保させ、記録位置を決定させてディレクトリ及びファイルを生成させる。
【０１２０】
また、ＣＰＵ２３はディレクトリ・ファイル生成機構２９に生成させたディレクトリ及びファイルの情報を記録情報出力機構３１により記録媒体２に出力させ記録させることとなる。
【０１２１】
以上によりデジタルカメラ１で映像情報を記録媒体２に記録する場合の動作が終了することとなる。
【０１２２】
これによって、静止画の実体ファイルは必ずＥｘｉｆ規格に基づくＤＣＩＭディレクトリ４０下に生成されるので、例えばデジタルカメラ１により静止画が撮影されたときは図６に示すように枠で囲ったディレクトリ構造が生成され、記録媒体２に記録される。
【０１２３】
従って、その記録された記録媒体２を例えばＥｘｉｆ規格にのみ基づくプリンター４８に装着した場合でも、図６の点線で囲まれたＤＣＩＭディレクトリ４０以下のサブディレクトリ及び実体ファイルは全て再生することができることとなる。
【０１２４】
次に、記録媒体２に記録された映像情報を再生する場合の動作について説明する。
【０１２５】
なお、ＭＱ  ＲＯＯＴディレクトリ３６は主にＭＱＴ方式の動画・静止画・音声・音楽コンテンツを保存するためのディレクトリであり、本発明の電子機器例えばデジタルカメラ１は、動画ファイル記録・再生の際、このディレクトリの下に実動画ファイル及び動画用のインデックスを記録する。以下に説明する記録媒体２に記録された映像情報を再生する場合も、図７等に示すように既に動画用のインデックスファイルである例えばＡＶＩＶ００００１．ＭＱＶ３８、そのサブディレクトリである１００ＶＩＤＥＯディレクトリ５８及び実体ファイルであるＮＲＱ００００１．ＭＱＶ５９等が記録されているものとして説明する。
【０１２６】
ここで、例えば図７に示すようにまず記録媒体２には、枠Ａで囲まれたディレクトリ構造がデジタルカメラ１により記録され、その後、ＭＱ  ＲＯＯＴディレクトリ３６に対応していない他のデジタルカメラ４９で、更に枠Ｂ中の点線で囲まれたファイルが記録された記録媒体２をデジタルカメラ１で再生する場合について説明する。
【０１２７】
図８に示すように、デジタルカメラ１のメモリースロット２２に記録媒体２を装着し、パワースイッチ１６により電源を投入する（ＳＴ２０１）と、ＣＰＵ２３は入力情報読込み機構２７にメモリースロット２２に記録媒体２が装着されているか判断させる（ＳＴ２０２）。ＣＰＵ２３は入力情報読込み機構２７がメモリースロット２２に装着されていないと判断したときは、画像表示機構３０にエラー表示させる（ＳＴ２０３）。
【０１２８】
更にＣＰＵ２３は、例えばモードダイヤル１４等により静止画再生モードの設定がなされた（ＳＴ２０４）との情報が入力情報読込み機構２７から伝えられたときは、入力情報読込み機構２７に記録媒体２の読込みをさせ（ＳＴ２０５）、その読込まれた情報を再生機構３２に受渡らせる。
【０１２９】
ここでまず、ＣＰＵ２３は再生機構３２に静止画のインデックスファイル例えば図７に示すＡＶＩＳ００００１．ＭＱＶ３９が存在するか判断させる（ＳＴ２０６）。
【０１３０】
ＣＰＵ２３は、再生機構３２が例えばＡＶＩＳ００００１．ＭＱＶ３９が存在すると判断したときは、再生機構３２にそのインデックスファイルの情報内容例えばエントリ番号毎に収容されたプロパティ、テキスト及びサムネイル等の静止画に関する情報を取得させる（ＳＴ２０７）。
【０１３１】
更にＣＰＵ２３は再生機構３２にＳＴ２０７で取得した静止画に関する情報、例えばプロパティのＡＶファイルの実データを参照する情報等により、静止画の実体ファイル例えばＮＲＱ００００１．ＪＰＧ４２等が少なくとも１つは存在するか判断させる（ＳＴ２０８）。
【０１３２】
また、静止画の実体ファイル例えばＮＲＱ００００１．ＪＰＧ４２等が少なくとも１つは存在するか判断する方法として、例えば拡張子ＪＰＧの付いたファイルがあるか否かで判断することができる。
【０１３３】
また、ＣＰＵ２３は再生機構３２に静止画の実体ファイル例えばＮＲＱ００００１．ＪＰＧ４２等が少なくとも１つは存在すると判断させたときは、ＳＴ２０７で取得した静止画に関する情報、例えばプロパティのＡＶファイルの実データを参照する情報により、図７に示すＤＣＩＭディレクトリ４０及びその下にある１００ＭＳＤＣＦディレクトリ４１を経由して静止画の実体ファイルである例えばＮＲＱ００００１．ＪＰＧ４２まで読込ませ、インデックスファイルの情報により特定させた静止画像情報を取得させることができることとなる。
【０１３４】
これにより、まずインデックスファイルの情報から所望の静止画を極めて高速に検索できることとなる。
【０１３５】
次に、ＣＰＵ２３は例えば再生機構３２に取得させた静止画のサムネイルの情報をその他の画像情報と併せ画像表示機構３０に１つの画像情報として受け渡らせる。
【０１３６】
これによって、インデックスファイ例えばＡＶＩＳ００００１．ＭＱＶ３９により特定された静止画のサムネイル等の画像情報等が表示部４の表示面１３に表示されることとなる（ＳＴ２０９）。この時点では、例えばＡＶＩＳ００００１．ＭＱＶ３９のプロパティにより特定されなかった他のデジタルカメラ４９により撮影され、記録媒体２に記録された静止画の実体ファイル、例えば図７の点線で囲まれたＮＲＱ００００３．ＪＰＧ５０からＮＲＱ００００５．ＪＰＧ５２のファイルの静止画像情報は画像表示機構３０に伝えられず、サムネイルとしても表示面１３に表示されない。
【０１３７】
一方、表示面１３を見ていたユーザーが他のデジタルカメラ４９により撮影し記録した静止画も表示させたいと考え、例えばファンクションボタン１５を半押しすると、ＣＰＵ２３はその操作情報を入力情報読込み機構２７に送らせ、入力情報読込み機構２７にその入力情報を画像表示機構３０に送らせる。更にＣＰＵ２３は、その入力情報を受取った画像表示機構３０に例えば図９に示すようなメニュー画面を表示させる。
【０１３８】
ここで、ＣＰＵ２３は他機種再生機構３４によりメニュー画面に表示された他機種再生ボタン５３が選択されたか判断させる（ＳＴ２１０）。
【０１３９】
例えばＣＰＵ２３は、メニュー画面上の他機種再生ボタン５３が選択されたとの入力情報を操作部８から入力情報読込み機構２７が受取ったときは、入力情報読込み機構２７にその入力情報を他機種再生機構３４に受け渡らせる。これにより、ＣＰＵ２３は他機種再生機構３４に他機種再生ボタン５３が選択されたと判断させる。
【０１４０】
更にＣＰＵ２３は、他機種再生機構３４に他機種再生ボタン５３が選択されたものと判断させたときは、他機種再生機構３４に画像表示機構３０により図１０に示すような他機種再生メニュー画面を表示部４に表示させる（ＳＴ２１１）。
【０１４１】
ここで、ユーザーが他機種再生メニュー画面の例えば他機種再生の実行ボタン５４を選択する（ＳＴ２１２）と、その選択情報が操作部８から入力情報読込み機構２７に入力され、入力情報読込み機構２７はその選択情報を他機種再生機構３４に送る。
【０１４２】
ＣＰＵ２３は他機種再生機構３４が他機種再生の実行ボタン５４を選択するとの情報を受取ったときは、他機種再生機構３４に従来の例えばＥｘｉｆ規格に基づき、静止画の実体ファイルである図７に示すＮＲＱ００００１．ＪＰＧ４２やＮＲＱ００００３．ＪＰＧ５０等を再生させることとなる。
【０１４３】
例えばＣＰＵ２３は、他機種再生機構３４にＲＯＯＴディレクトリ３５下のＤＣＩＭディレクトリ４０を読込ませＤＣＩＭディレクトリ４０内の情報を取得させて、その取得した情報に基づき更にその下にある１００ＭＳＤＣＦディレクトリ４１を読込ませる。以下同様に静止画の実体ファイルである例えばＮＲＱ００００１．ＪＰＧ４２まで読込ませ、その静止画像情報を取得させることができることとなる。また、同様に静止画の実体ファイルである例えばＮＲＱ００００５．ＪＰＧ５２まで読込ませ、全ての静止画像情報を取得させることができることとなる（ＳＴ２１３）。
【０１４４】
更にＣＰＵ２３は、他機種再生機構３４に取得させた静止画の画像情報に付随したサムネイルの情報をその他の情報と併せ画像表示機構３０に１つの画像情報として受け渡らせる。
【０１４５】
これによって、インデックスファイ例えばＡＶＩＳ００００１．ＭＱＶ３９によらずに静止画のサムネイル等が表示部４の表示面１３に表示されることとなり（ＳＴ２１４）、インデックスファイル例えばＡＶＩＳ００００１．ＭＱＶ３９に対応していない他のデジタルカメラ４９で撮影され記録された、例えば図７の点線で囲まれた静止画の実体ファイルＮＲＱ００００３．ＪＰＧ５０等も、再生可能となる。
【０１４６】
尚、ＳＴ２１３で他機種再生機構３４に取得させた静止画の画像情報にサムネイルの情報が付随していないときは、ＣＰＵ２３は他機種再生機構３４にサムネイルの情報を生成させてもよい。
【０１４７】
また、ＣＰＵ２３は他機種再生機構３４に例えば操作部８から入力情報読込み機構２７に静止画再生を終了するとの入力情報が伝えられたか、或は操作部８から入力情報読込み機構２７に所定時間何も伝えられなかったかにより、静止画の再生を終了するものか否か判断させることができる（ＳＴ２１５）。
【０１４８】
更にＣＰＵ２３は、ＳＴ２１０でメニュー画面上の他機種再生ボタン５３が選択されなかったとの入力情報を操作部８から入力情報読込み機構２７が受取ったときは、入力情報読込み機構２７にその入力情報を他機種再生機構３４に受け渡らせる。これにより、ＣＰＵ２３は他機種再生機構３４に他機種再生ボタン５３が選択されなかったと判断させる。
【０１４９】
そしてＣＰＵ２３は、他機種再生機構３４に他機種再生ボタン５３が選択されなかったものと判断させたときは、ＳＴ２１４の後に進ませ、静止画の再生を終了するものか否か判断させる。
【０１５０】
また、ＳＴ２１５でＣＰＵ２３が他機種再生機構３４に静止画の再生を終了するものと判断させたときは、記録媒体２に記録された画像情報を再生する場合の動作は終了することとなる。
【０１５１】
これに対し、ＳＴ２１５で操作部８から入力情報読込み機構２７に、例えば再度インデックスファイルより所望の静止画を検索し表示させるとの入力情報があったときは、他機種再生機構３４に静止画の再生を終了するとの判断をさせず、ＳＴ２０５の前に戻り再度、記録媒体２の読込みが開始される。
【０１５２】
次にＳＴ２０８で、再生機構３２が静止画の実体ファイル例えばＮＲＱ００００１．ＪＰＧ４２等が１つも存在しない（例えば図１１に示すようなディレクト構造である場合）と判断したときは、表示面１３には静止画のサムネイルは表示されないこととなる（ＳＴ２１６）。
【０１５３】
静止画の実体ファイルが存在するかの判断は、拡張子ＪＰＧの付いたファイルの有無の他、例えばプロパティのファイル属性情報であるフラグに静止画の実体ファイルが存在しないことの情報を収容させることにより、再生機構３２に判断させることも可能である。これにより、インデックスファイルの情報により速やかに、静止画の実体ファイルが存在するか判断できる。
【０１５４】
一方、表示面１３を見ていたユーザーが他のデジタルカメラ４９により撮影し記録した静止画があるのではと考え、ファンクションボタン１５を半押しすると、ＣＰＵ２３はその操作情報を入力情報読込み機構２７に送らせ、入力情報読込み機構２７にその入力情報を画像表示機構３０に送らせる。更にＣＰＵ２３は、その入力情報を受取った画像表示機構３０に例えば図９に示すようなメニュー画面を表示させる。
【０１５５】
ここで、ＣＰＵ２３は他機種再生機構３４によりメニュー画面に表示された他機種再生ボタン５３が選択されたか判断させる（ＳＴ２１７）。
【０１５６】
例えばＣＰＵ２３は、メニュー画面上の他機種再生ボタン５３が選択されたとの入力情報を操作部８から入力情報読込み機構２７が受取ったときは、入力情報読込み機構２７にその入力情報を他機種再生機構３４に受け渡らせる。これにより、ＣＰＵ２３は他機種再生機構３４に他機種再生ボタン５３が選択されたと判断させることとなる。
【０１５７】
更にＣＰＵ２３は、例えば他機種再生機構３４に画像表示機構３０に図１０に示すような他機種再生メニュー画面を表示させないようにする（ＳＴ２１８）。これによって、表示面１３を見ていたユーザーは静止画の実体ファイルが１枚も記録されていないことを知ることができ、それ以降の無駄な操作をしなくてもすむこととなる。
【０１５８】
また、ＣＰＵ２３は他機種再生機構３４にその情報を画像表示機構３０に送らせ、例えば「静止画ファイルはありません」というようなメッセージを表示させてもよい。これにより、より確実に表示面１３を見ていたユーザーはデジタルカメラ１の状況を認識できることとなる。
【０１５９】
ＣＰＵ２３は、ＳＴ２１８で他機種再生機構３４に他機種再生メニュー画面を表示させないようにさせたときは、ＳＴ２１４の後に進ませ、静止画の再生を終了するものか否か判断させる。
【０１６０】
ＣＰＵ２３は、ＳＴ２１７でメニュー画面上の他機種再生ボタン５３が選択されなかったとの入力情報を、操作部８から入力情報読込み機構２７が受取ったときは、入力情報読込み機構２７にその入力情報を他機種再生機構３４に受け渡らせる。これにより、ＣＰＵ２３は他機種再生機構３４に他機種再生ボタン５３が選択されなかったと判断させる。
【０１６１】
そしてＣＰＵ２３は、他機種再生機構３４に他機種再生ボタン５３が選択されなかったものと判断させたときは、ＳＴ２１４の後に進ませ、静止画の再生を終了するものか否か判断させる。
【０１６２】
更にＳＴ２０６で、再生機構３２が例えばインデックスファイルであるＡＶＩＳ００００１．ＭＱＶ３９が存在しないと判断したときは、ＣＰＵ２３は再生機構３２にその情報を画像表示機構３０に送らせ、例えば「静止画ファイルはありません」というようなメッセージを表示させてもよい。
【０１６３】
ここで、表示面１３を見ていたユーザーが他のデジタルカメラ４９により撮影し記録した静止画も表示させたいと考え、例えばファンクションボタン１５を半押しすると、ＣＰＵ２３はその操作情報を入力情報読込み機構２７に送らせ、入力情報読込み機構２７にその入力情報を画像表示機構３０に送らせる。更にＣＰＵ２３は、その入力情報を受取った画像表示機構３０に例えば図９に示すようなメニュー画面を表示させる。
【０１６４】
ＣＰＵ２３は他機種再生機構３４によりメニュー画面に表示された他機種再生ボタン５３が選択されたか判断させる（ＳＴ２１９）。
【０１６５】
例えばＣＰＵ２３は、メニュー画面上の他機種再生ボタン５３が選択されたとの入力情報を操作部８から入力情報読込み機構２７が受取ったときは、入力情報読込み機構２７にその入力情報を他機種再生機構３４に受け渡らせる。これにより、ＣＰＵ２３は他機種再生機構３４に他機種再生ボタン５３が選択されたと判断させる。
【０１６６】
また、ＣＰＵ２３は他機種再生機構３４に他機種再生ボタン５３が選択されたものと判断させたときは、他機種再生機構３４にＤＣＩＭディレクトリ４０下に静止画の実体ファイル例えばＮＲＱ００００１．ＪＰＧ４２等が存在するか判断させる（ＳＴ２２０）。
【０１６７】
ここで、ＣＰＵ２３は例えば拡張子ＪＰＧの有無等により他機種再生機構３４が静止画の実体ファイルが少なくとも１つは存在すると判断したときは（例えば図１２に示すようなディレクトリ構造のように）、他機種再生機構３４に画像表示機構３０により図１０に示すような他機種再生メニュー画面を表示部４に表示させる（ＳＴ２２１）。
【０１６８】
更にユーザーが他機種再生メニュー画面の例えば他機種再生の実行ボタン５４を選択する（ＳＴ２２２）と、その選択情報が操作部８から入力情報読込み機構２７に入力され、入力情報読込み機構２７はその選択情報を他機種再生機構３４に送る。
【０１６９】
ＣＰＵ２３は他機種再生機構３４が他機種再生の実行ボタン５４を選択するとの情報を受取ったときは、他機種再生機構３４に従来のＥｘｉｆ規格に基づき静止画の実体ファイル例えば図１２に示すＮＲＱ００００１．ＪＰＧ４２等の静止画像情報を取得させる（ＳＴ２２３）。
【０１７０】
更にＣＰＵ２３は、他機種再生機構３４に取得させた静止画の画像情報に付随したサムネイルの情報をその他の情報と併せ画像表示機構３０に１つの画像情報として受け渡らせる。
【０１７１】
これによって、インデックスファイル例えばＡＶＩＳ００００１．ＭＱＶ３９によらずに静止画のサムネイル等が表示部４の表示面１３に表示されることとなり（ＳＴ２２４）、図１２に示すように静止画のインデックスファイル例えばＡＶＩＳ００００１．ＭＱＶ３９の存在しないディレクトリ構造の静止画の実体ファイルＮＲＱ００００１．ＪＰＧ４２等も、再生可能となる。
【０１７２】
尚、ＳＴ２２３で他機種再生機構３４に取得させた静止画の画像情報にサムネイルの情報が付随していないときは、ＣＰＵ２３は他機種再生機構３４にサムネイルの情報を生成させてもよい。
【０１７３】
また、ＣＰＵ２３はＳＴ２２４で画像表示機構３０に静止画のサムネイルを表示させた後は、ＳＴ２１５へ進ませ静止画の再生を終了するものか否か他機種再生機構３４に判断させることとなる。
【０１７４】
次に、ＣＰＵ２３はＳＴ２２０で他機種再生機構３４が静止画の実体ファイルが１つも存在しないと判断したときは、例えば他機種再生機構３４に画像表示機構３０に図１０に示すような他機種再生メニュー画面を表示させないようにする（ＳＴ２２５）。これによって、表示面１３を見ていたザーユーは静止画の実体ファイルが１枚も記録されていないことを知ることができ、それ以降の無駄な操作をしなくてもすむこととなる。
【０１７５】
また、ＣＰＵ２３は他機種再生機構３４にその情報を画像表示機構３０に送らせ、例えば「静止画ファイルはありません」というようなメッセージを表示させてもよい。これにより、より確実に表示面１３を見ていたザーユーはデジタルカメラ１の状況を認識できることとなる。
【０１７６】
ＣＰＵ２３は、ＳＴ２２５で他機種再生機構３４に他機種再生メニュー画面を表示させないようにさせたときは、ＳＴ２１４の後に進ませ、静止画の再生を終了するものか否か判断させる。
【０１７７】
また、ＣＰＵ２３は、ＳＴ２１９でメニュー画面上の他機種再生ボタン５３が選択されなかったとの入力情報を操作部８から入力情報読込み機構２７が受取ったときは、入力情報読込み機構２７にその入力情報を他機種再生機構３４に受け渡らせる。これにより、ＣＰＵ２３は他機種再生機構３４に他機種再生ボタン５３が選択されなかったと判断させる。
【０１７８】
そしてＣＰＵ２３は、他機種再生機構３４に他機種再生ボタン５３が選択されなかったものと判断させたときは、ＳＴ２１４の後に進ませ、静止画の再生を終了するものか否か判断させる。
【０１７９】
また、ＳＴ２１５でＣＰＵ２３が他機種再生機構３４に静止画の再生を終了するものと判断させたときは、記録媒体２に記録された画像情報をデジタルカメラ１で再生する場合の動作は終了することとなる。
【０１８０】
このように本実施形態によれば、電子機器であるデジタルカメラ１はルートディレクトリの下に入力情報のインデックスファイル例えばＡＶＩＳ００００１．ＭＱＶ３９を関係付けるＭＱ  ＲＯＯＴディレクトリ３６を生成するディレクトリ・ファイル生成機構２９と、そのＭＱ  ＲＯＯＴディレクトリ３６と並列に入力情報の少なくとも一部の実体ファイル例えばＮＲＱ００００１．ＪＰＧを関係付けるＤＣＩＭディレクトリ４０を生成するディレクトリ・ファイル生成機構２９を具備することとしたので、互換の為に別途ファイルを生成しなくても、インデックスファイルであるＡＶＩＳ００００１．ＭＱＶ３９を使った高速な検索機能を提供しながら、従来の例えばＥｘｉｆ規格により実体ファイルを読込むこと等も可能となり、異なるファイルフォーマット間の互換もより容易かつ低コストとすることが可能となる。
【０１８１】
また、電子機器であるデジタルカメラ１は少なくとも例えばＲＯＯＴディレクトリ３５と、ディレクトリ・ファイル生成機構２９により生成されたＭＱ  ＲＯＯＴディレクトリ３６及びＡＶＩＳ００００１．ＭＱＶ３９と、ディレクトリ・ファイル生成機構２９により生成されたＤＣＩＭディレクトリ４０及び静止画の実体ファイル例えばＮＲＱ００００１．ＪＰＧとを、可搬性の記録媒体に記録する記録情報出力機構３１を更に具備することとしたので、インデックスファイルを使った高速な検索機能を提供しながら、従来の例えばＥｘｉｆ規格により静止画の実体ファイルを読込むこと等も可能なディレクトリ構造として、映像情報等を可搬性の記録媒体例えばメモリーカード等に記録させ保存させることができる。それによって、他の電子機器にその記録媒体から映像情報等を入力させ、その電子機器で少なくともその映像情報の例えばＥｘｉｆ規格による実体ファイルを取得させることが可能となり、互換性が増すこととなる。
【０１８２】
更に電子機器であるデジタルカメラ１は、ＲＯＯＴディレクトリ３５の下に入力情報のインデックスファイル例えばＡＶＩＳ００００１．ＭＱＶ３９を関係付けるように生成されたＭＱ  ＲＯＯＴディレクトリ３６を読込む入力情報読込み機構２７、再生機構３２等と、そのＭＱ  ＲＯＯＴディレクトリ３６と並列に入力情報の少なくとも一部の実体ファイル例えばＮＲＱ００００１．ＪＰＧを関係付けるように生成されたＤＣＩＭディレクトリ４０を読込む入力情報読込み機構２７、他機種再生機構３４等を具備することとしたので、互換の為に別途ファイルを生成しなくても、インデックスファイルを使った高速な検索機能を提供しながら、従来の例えばＥｘｉｆ規格により実体ファイルを読込むこと等も可能となり、異なるファイルフォーマット間の互換もより容易かつ低コストとすることが可能となる。
【０１８３】
また、電子機器であるデジタルカメラ１の入力情報読込み機構２７、再生機構３２等は、読込まれたインデックスファイル内の情報に基づき、例えば静止画の実体ファイルを読込むものであるので、例えばインデックスファイル内の情報に対応させて生成された従来のＥｘｉｆ規格による静止画の実体ファイルを、インデックスファイルを使った高速な検索が可能となる。
【０１８４】
更に電子機器であるデジタルカメラ１の入力情報読込み機構２７、他機種再生機構３４等は、読込まれたＤＣＩＭディレクトリ４０内の情報に基づき、静止画の実体ファイルを読込むものであるので、例えばインデックスファイル内の情報に対応させて生成された従来のＥｘｉｆ規格による静止画の実体ファイルを、従来のＥｘｉｆ規格に則った電子機器により読込むこと等も可能となり、異なるファイルフォーマット間の互換もより容易かつ低コストとすることが可能となる。
【０１８５】
また、電子機器であるデジタルカメラ１のＣＰＵ２３等は、例えば従来のＥｘｉｆ規格による読込みをするか否か選択することのできる他機種再生メニュー画面上の実行ボタン５４を画像表示機構３０に表示させることができる。その実行ボタン５４による選択情報により、ＤＣＩＭディレクトリ４０の下に生成された入力情報の静止画の実体ファイルを読込むこととしたので、例えば最初にインデックスファイルによる静止画の実体ファイルの検索をし、その後必要に応じて例えば従来のＥｘｉｆ規格に則り実体ファイルを読込むように、再生方法を選択できるので異なるファイルフォーマット間の互換性をより高めることができる。
【０１８６】
更に電子機器であるデジタルカメラ１は、ＤＣＩＭディレクトリ４０の下に実体ファイル例えばＮＲＱ００００１．ＪＰＧ４２等が、生成されたか否か判断する再生機構３２等を有し、その再生機構３２等が実体ファイルは生成されなかったと判断したときは、実行ボタン５４が表示される他機種再生メニュー画面を表示しないようにしたので、無用な処理を無くすと共に、ユーザーに容易に実体ファイルが存在しないこと知らせることができる。
【０１８７】
また、電子機器であるデジタルカメラ１の再生機構３２等は、入力情報読込み機構２７等により読込まれたインデックスファイル内の情報によりＤＣＩＭディレクトリ４０の下に実体ファイルが生成されたか否か判断できることとしたので、例えばインデックスファイル内のプロパティに実体ファイルが生成されていないことを表すフラグを追加することにより、最初のインデックスファイルの読込みにより実体ファイルが生成されているか容易に判断できる。これにより、従来のＥｘｉｆ規格による読込み処理を省くことが可能となり、迅速な再生処理が可能となる。
【０１８８】
更にコンピュータにルートディレクトリの下に、入力情報のインデックスファイルを関係付ける第１のサブディレクトリ例えばＭＱ  ＲＯＯＴディレクトリ３６を生成し、そのＭＱ  ＲＯＯＴディレクトリ３６と並列に入力情報の少なくとも一部の実体ファイルを関係付ける第２のサブディレクトリ例えばＤＣＩＭディレクトリ４０を生成することを実行させるコンピュータプログラムとしたので、そのコンピュータプログラムを用いることによって、互換の為に別途ファイルを生成しなくても、インデックスファイルを使った高速な検索機能を提供しながら、従来の例えばＥｘｉｆ規格により静止画の実体ファイルを読込むこと等も可能となり、異なるファイルフォーマット間の互換もより容易かつ低コストとすることが可能となる。
【０１８９】
また、コンピュータにルートディレクトリの下に入力情報のインデックスファイルを関係付けるように生成されたＭＱ  ＲＯＯＴディレクトリ３６を読込み、そのＭＱ  ＲＯＯＴディレクトリ３６と並列に入力情報の少なくとも一部の実体ファイルを関係付けるように生成されたＤＣＩＭディレクトリ４０を読込むことを実行させるコンピュータプログラムとしたので、そのコンピュータプログラムを用いることによって、互換の為に別途ファイルを生成しなくてもインデックスファイルを使った高速な検索機能を提供しながら、従来の例えばＥｘｉｆ規格により静止画の実体ファイルを読込むこと等も可能となり、異なるファイルフォーマット間の互換もより容易かつ低コストとすることが可能となる。
【０１９０】
尚、今後メディアの記録容量は年々大きくなりユーザーや電子機器が扱うファイルの数も益々多くなってくることが予想される。そこで、インデックスファイル等によるコンテンツの管理が必要になってくるが、例えばＥｘｉｆ規格を採用している静止画等はその互換性をどう取るかが問題になる。
【０１９１】
本発明はユーザー側の混乱を最小限にするためにも分り易いインターフェースにて従来の形式のファイルもインデックスファイルを用いたファイルも両方扱えるようにし、その利便性を向上させるものである。
【０１９２】
また、本発明は上述したいずれの実施形態にも限定されず、本発明の技術思想の範囲内で適宜変更して実施できる。
【０１９３】
ここで、図１３はインデックスファイルの情報により管理情報のみ収容されたファイルを経由して静止画の実データを取得する場合の説明図である。
【０１９４】
なお、ＭＱ  ＲＯＯＴディレクトリ３６は主にＭＱＴ方式の動画・静止画・音声・音楽コンテンツを保存するためのディレクトリであり、本発明の電子機器例えばデジタルカメラ１は、動画ファイル記録・再生の際、このディレクトリの下に実動画ファイル及び動画用のインデックスを記録する。以下に説明するインデックスファイルの情報により管理情報のみ収容されたファイルを経由して静止画の実データを取得する場合も、図１３に示すように動画用のインデックスファイルである例えばＡＶＩＶ００００１．ＭＱＶ３８、そのサブディレクトリである１００ＶＩＤＥＯディレクトリ５８及び実体ファイルであるＮＲＱ００００１．ＭＱＶ５９等が記録されているものとして説明する。
【０１９５】
例えば上述した実施形態では、インデックスファイルＡＶＩＳ００００１．ＭＱＶ３９のプロパティに収容されている静止画の実体ファイルＮＲＱ００００１．ＪＰＧ４２に関する情報を取得して、ＤＣＩＭディレクトリ４０及び１００ＭＳＤＣＦディレクトリ４１を経由してＮＲＱ００００１．ＪＰＧ４２の実データを取得する場合（図１３のＣの矢印）を説明したが、これに限られるものではない。
【０１９６】
例えば図１３に示すようにＭＱ  ＲＯＯＴディレクトリ３６の下にＡＶＩＳ００００１．ＭＱＶ３９と並列に１００ＳＴＩＬＬディレクトリ５５を設け、更にその下に管理情報５７のみが収容されたＡＢＣＤ０００１．ＭＱＴ５６を設ける。
【０１９７】
そのディレクトリ構造で、図１３のＤの矢印に示すようにインデックスファイルＡＶＩＳ００００１．ＭＱＶ３９のプロパティに収容されているＡＢＣＤ０００１．ＭＱＴ５６に関する情報を取得し、１００ＳＴＩＬＬディレクトリ５５を経由してＡＢＣＤ０００１．ＭＱＴ５６を見に行く。
【０１９８】
次に、図１３のＥの矢印に示すようにＡＢＣＤ０００１．ＭＱＴ５６に収容されている管理情報５７を取得し、その管理情報５７に基づいてＤＣＩＭディレクトリ４０及び１００ＭＳＤＣＦディレクトリ４１を経由してＮＲＱ００００１．ＪＰＧ４２の実データを取得するものでも良い。
【０１９９】
これにより、多種多様なインデックスファイル構造とでき、多様なファイル処理に対応できることとなる。
【０２００】
また、上述した実施形態では図８に示すようにＳＴ２２０で静止画ファイルがあるか否か判断することとしたが、これに限られるものではない。例えばＣＰＵ２３は、ＳＴ２１９で他機種再生機構３４に他機種再生ボタン５３が選択されたものと判断させたときに、直接他機種再生メニュー画面を表示させる。そして、他機種再生メニュー画面上の実行ボタン５４を選択したときは、従来のＥｘｉｆ規格に基づき静止画の実体ファイル例えば図１２に示すＮＲＱ００００１．ＪＰＧ４２等の静止画像情報を取得させる。
【０２０１】
ここで、他機種再生機構３４が静止画の実体ファイルが存在しないと判断したときは、ＣＰＵ２３は他機種再生機構３４に図８に示すＳＴ２１５に進ませることができる。これにより、処理工程を少なくすることができより映像情報の再生の迅速化が図れることとなる。
【０２０２】
更に上述した実施形態では、例えばＭＱ  ＲＯＯＴディレクトリ３６、ＡＶＩＳ００００１．ＭＱＶ３８を生成する第１の手段としてディレクトリ・ファイル生成機構２９を用い、ＤＣＩＭディレクトリ４０、静止画の実体ファイル例えばＮＲＱ００００１．ＪＰＧ４２を生成する第２の生成手段としてもディレクトリ・ファイル生成機構２９を用いたが、これに限られるものではなく夫々別々のディレクトリ・ファイル生成機構により生成しても良い。これにより、より多様なディレクトリ・ファイル生成が可能となる。
【０２０３】
また、上述した実施形態ではデジタルカメラ１の制御部７にデータ格納部を特に設けなかったが、これに限られるものではなく例えば制御部７にデータ格納部を設け、生成されたインデックスファイルや静止画等の実体ファイル等を格納しても良い。これにより、自由な時間や場所で静止画等の映像情報等を再生できカスタマイズ化が図れる。
【０２０４】
【発明の効果】
以上説明したように、本発明ではインデックスファイルを使った高速な検索機能を提供するファイルフォーマットと、従来の例えばＥｘｉｆ規格のようなファイルフォーマットとの互換をより容易とすることができる。
【図面の簡単な説明】
【図１】本発明の第１の実施形態に係るデジタルカメラの操作部側から見た概略斜視図である。
【図２】本発明の第１の実施形態に係るデジタルカメラの撮像部側から見た概略斜視図である。
【図３】本発明の第１の実施形態に係るデジタルカメラの制御部を中心とするブロック図である。
【図４】本発明の第１の実施形態に係るデジタルカメラで生成されたディレクトリ・ファイル構造の説明図である。
【図５】本発明の第１の実施形態に係るデジタルカメラで映像情報を記録媒体に記録する場合のフローチャート図である。
【図６】本発明の第１の実施形態に係るデジタルカメラで記録媒体に記録したあと他の規格による電子機器で再生する場合の説明図である。
【図７】本発明の第１の実施形態に係るデジタルカメラで記録媒体に記録したあと他の規格による電子機器で更に記録媒体に記録する場合の説明図である。
【図８】本発明の第１の実施形態に係るデジタルカメラで記録媒体に記録された映像情報を再生する場合のフローチャート図である。
【図９】本発明の第１の実施形態に係るデジタルカメラのメニュー画面の説明図である。
【図１０】本発明の第１の実施形態に係るデジタルカメラの他機種再生メニュー画面の説明図である。
【図１１】静止画の実体ファイルが存在しないディレクトリ構造の説明図である。
【図１２】静止画のインデックスファイルは存在しないが静止画の実体ファイルは存在するディレクトリ構造の説明図である。
【図１３】インデックスファイルの情報により管理情報のみ収容されたファイルを経由して静止画の実データを取得する場合の説明図である。
【符号の説明】
１  デジタルカメラ
２  記録媒体
３  カメラ本体
４  表示部
５  入出力部
６  インターフェース部
７  制御部
８  操作部
９  撮像部
１０  音響部
１１  リング式ダイヤル
１２  アクションボタン
１３  表示面
１４  モードダイヤル
１５  ファンクションボタン
１６  パワースイッチ
１７  ズームスイッチ
１８  レンズ
１９  撮像素子
２０  マイク
２１  スピーカー
２２  メモリースロット
２３  ＣＰＵ
２４  ＤＲＡＭ
２５  ＲＯＭ
２６  ソフトウェア格納部
２７  入力情報読込み機構
２８  撮像処理機構
２９  ディレクトリ・ファイル生成機構
３０  画像表示機構
３１  記録情報出力機構
３２  再生機構
３４  他機種再生機構
３５  ＲＯＯＴディレクトリ
３６  ＭＱ  ＲＯＯＴディレクトリ
３７  ＡＶＩｎｄｅｘファイル
４０  ＤＣＩＭディレクトリ
５３  他機種再生ボタン
５４  実行ボタン
５７  管理情報
【図１】
2004362106.tif 000003
【図２】
2004362106.tif 000004
【図３】
2004362106.tif 000005
【図４】
2004362106.tif 000006
【図５】
2004362106.tif 000007
【図６】
2004362106.tif 000008
【図７】
2004362106.tif 000009
【図８】
2004362106.tif 000010
【図９】
2004362106.tif 000011
【図１０】
2004362106.tif 000012
【図１１】
2004362106.tif 000013
【図１２】
2004362106.tif 000014
【図１３】
2004362106.tif 000015